(57)【特許請求の範囲】
【請求項１】
アウターシェルの下面側に座受けを取付けるとともに、前記座受けを脚体の上端に固定される支持部材に水平軸芯周りで揺動自在に取付けるために、該座受けと支持部材との間に渡って支軸を設けてある椅子の枢支部構造であって、前記支軸の端部にそれの軸芯方向から接当して該支軸の抜け止めを行う抜止部を設けてある椅子の枢支部構造。
【請求項２】
前記支軸が棒状体である請求項１記載の椅子の枢支部構造。
【請求項３】
前記アウターシェルの下面には、座受け収納用の凹部が形成され、この凹部を形成する縦壁を前記抜止部として兼用構成してある請求項１記載の椅子の枢支部構造。
【発明の詳細な説明】
【０００１】
【産業上の利用分野】
本発明は、椅子の枢支構造に関し、詳しくは座受け及びこれと一体的に背凭れが前後方向に傾動できるように構成してある椅子の枢支部構造に関する。
【０００２】
【従来の技術】
従来、椅子の枢支部を組付ける場合には、例えば図９に示すように、まず支軸としてのピン４０を座受け１２と支持部材１３との間に渡って貫通させる。こののち、ピン４０の先端に抜け止め用のプッシュナット４１を打ち込んで、座受け１２を支持部材１３に水平軸芯周りで揺動自在に取付けることが行われている。そして、支持部材１３が取付けられた座受け１２をアウターシェル１０の下面にビス止めするのである。
【０００３】
しかし、上記構成によれば、椅子の枢支部を組付ける度に、ピン４０を座受け１２と支持部材１３との間に渡って貫通させたのち、プッシュナット４１をピン４０の先端に打ち込まなければならず、その作業が手間のかかる煩わしい作業になるだけでなく、プッシュナット４１の打ち込み度合いが浅い場合やプッシュナット４１の打ち込みを忘れた場合に、ピン４０が抜けてしまうことがあり、改善の余地があった。
【０００４】
また、前記プッシュナット４１の打ち込み度合いを深くして、ピン４０が抜けてしまうことを確実に阻止することができるようにすることが考えられるが、プッシュナット４１の打ち込みが強すぎると、他の部材を損傷してしまうことがあり、プッシュナット４１の打ち込み作業が難しいものであった。
【０００５】
さらに、椅子の枢支部の各種部品の交換等を行う場合には、打ち込まれた前記プッシュナット４１を取り外して、分解作業を行うことになるが、ピン４０が抜けないように打ち込まれたプッシュナット４１を取り外すためには、それ相応の力を要するため、作業者によってはプッシュナット４１の取り外しに多くの時間がかかるものであり、能率の低下を招いていた。
【０００６】
因みに、椅子の枢支部の組付け作業及び分解作業を容易に行えるように、ピン４０の端部に抜け止めピンを差し込むことが考えられるが、この場合、ピン４０の端部に抜け止めピン挿入用の貫通孔を形成しなければならないため、ピン４０自体が高価なものになるだけでなく、作業者によってはピン４０の端部に形成された小さな貫通孔に抜け止めピンを差し込むことが非常に難しく、抜け止めピンの差し込み作業が煩わしいものになっていた。
【０００７】
【発明が解決しようとする課題】
本発明が前述の状況に鑑み、解決しようとするところは、椅子の枢支部の組付け及び分解作業を容易迅速に行えるようにするとともに、支軸の抜け止め作業を省略しながらも、支軸の抜け止めが確実に行えるようにする点にある。
【０００８】
【課題を解決するための手段】
本発明は、前述の課題解決のために、アウターシェルの下面側に座受けを取付けるとともに、前記座受けを脚体の上端に固定される支持部材に水平軸芯周りで揺動自在に取付けるために、該座受けと支持部材との間に渡って支軸を設けてある椅子の枢支構造であって、前記支軸の端部にそれの軸芯方向から接当して該支軸の抜け止めを行う抜止部を設けてある。つまり、座受けを支持部材に水平軸芯周りで揺動自在に支軸を介して取付けるだけで、支軸が軸芯方向に移動したとき、抜止部に支軸の端部が接当して、支軸の抜け止めが阻止され、支軸の抜け止め作業が不要になるのである。
【０００９】
前記支軸を棒状体で構成しても、支軸の抜け止めが前記のように阻止されることになる。
【００１０】
前記アウターシェルの下面には、座受け収納用の凹部が形成され、この凹部を形成する縦壁を前記抜止部として兼用構成してある。つまり、凹部を形成する縦壁を支軸の抜止部として作用させることによって、抜止部の製造作業及び取付け作業を不要にすることができる。
【００１１】
【実施例】
図１及び図２は、移動式の椅子を示しており、この椅子は、下面にキャスターを備えた脚体１、この脚体１の上端部に設けられた座部２、この座部２の左右両側に立設された肘掛け３、前記座部２の後方に立設された背凭れ部４を主要部材として構成されている。
【００１２】
前記脚体１は、放射状に配列した複数の支脚５・・・と、これらの中心部に設けられた支持筒６とからなり、前記支持筒６内に図５で示す座部２昇降用のガスシリンダー７を上下軸芯周りで回転可能に設けている。図に示す８は、前記ガスシリンダー７の上端部を覆うための筒状のカバーである。
【００１３】
図２、図３及び図５に示すように、前記座部２は、側面形状略Ｌ字状のクッション材９と、これの下面側に取付けたインナーシェル（図示せず）及びアウターシェル１０とからなり、このアウターシェル１０の下面には、座受け収納用の凹部１１が形成され、この凹部１１内に座受け１２がビス止めされ、この座受け１２を支持部材１３を介して前記ガスシリンダー７の上端部に固定されている。
【００１４】
図３及び図５に示すように、前記座受け１２を支持部材１３に水平軸芯周りで揺動自在に取付けるために、該座受け１２と支持部材１３との間に渡って棒状の支軸１４が設けられるとともに、前記座受け１２を支持部材１３に対して上方側に移動付勢するためのコイルスプリング１５が設けられており、コイルスプリング１５の付勢力にて座受け１２を図５に示す水平姿勢に維持するように構成している。
【００１５】
図５及び図６に示すように、前記座受け１２は、上板部１２Ａ及びそれの外周縁に下方に向かう縦姿勢の４枚の側板部１２Ｂを備える下方開放型の蓋体からなり、この蓋体の上板部１２Ａのうちの前記コイルスプリング１５の上方に位置する部位に、孔１６を形成するとともに、前記孔１６をバーリング加工して、コイルスプリング１５の上端が蓋体の上板部１２Ａに対して位置ずれすることがないようにしている。また、前記蓋体の上板部１２Ａの下面に後述のロック操作レバー１７に接当して座受け１２の下方移動を阻止するための縦向きの接当部材１８を溶接してある。
【００１６】
前記支持部材１３は、底板部及びそれの外周縁に上方に向かう縦姿勢の４枚の側板部を備え且つ前記座受け１２が上方から嵌めることができる小さな寸法を有する箱状体１９と、この箱状体１９内の後方側に溶接される略Ｌ字状の板部材２０とを備え、前記箱状体１９内の中央部に前記コイルスプリング１５の下端を支持する受け部材２１及びこの受け部材２１を上下方向に移動させてコイルスプリング１５の付勢力を調節するための調節機構２２を設けて、構成されている。前記板部材２０の後端部２０Ａは、前記箱状体１９の後端部から後方に突出してあり、この板部材２０の後端部２０Ａが前記座受け１２の後端部の上方側への移動を接当阻止するストッパーとして機能するように構成している。尚、図に示す２０Ｂは、板部材２０の後端部２０Ａに嵌め込んだ緩衝用のクッション材である。又、前記板部材２０と箱状体１９とに渡って貫通する下方側ほど拡径した筒状体２９を該板部材２０と箱状体１９とに溶接してあり、この筒状体２９に前記ガスシリンダー７の上端部を嵌入固定するのである。
【００１７】
前記調節機構２２は、前記支持部材１３の底板部に貫通させた段付き螺軸２３と、この螺軸２３の下端に一体回転する状態で取付けた回転操作部材２４と、前記螺軸２３の上端部に螺合してあるナット２５と、このナット２５に溶接された前記受け部材２１とを備え、回転操作部材２４を回転操作することによって、螺軸２３を回転させて、ナット２５及び受け部材２１を一体的に上下方向に移動させるようにしている。尚、図に示す２６は、前記螺軸２３に外嵌して螺軸２３の振れを止めるためのリング状部材であり、又、２７は、前記リング状部材に対する前記螺軸２３の移動を阻止するためのリング状の樹脂製又はゴム製のストッパーである。前記ナット２５が螺軸２３の回転により該螺軸２３に対して上下方向に移動するのは、後述のロック操作レバー１７のガイド部材２８のコ字状接当片２８Ａがナット２５と一体回転する受け部材２１の回転を接当阻止するからである。
【００１８】
前記支持部材１３と座受け１２との枢支部構造について説明すれば、図３に示すように、支持部材１３の左右の側板部の前端部側にそれぞれ、孔を形成するとともに、座受け１２の左右の側板部１２Ｂ，１２Ｂの前端部側にそれぞれ、孔を形成してある。そして、これらの孔にブッシュ３０，３１を挿入するとともに、これらブッシュ３０，３１に支軸１４を貫通させ、この状態で座受け１２をアウターシェル１０の凹部１１を構成する上部壁１０ａにビス止めして、枢支部の組付けが完了するのである。このとき、凹部１０Ａを構成する上下方向の縦壁１０ｂ，１０ｂを、支軸３２の端部にそれの軸芯方向から接当して該支軸３２の抜け止めを行う抜止部として機能するようにしてある。詳述すれば、図４に示すように、アウターシェル１０の凹部１１に座受け１２をビス止めした状態において、支軸１４を一方の縦壁１０ｂ（図では左側）に接当する位置まで移動させたとき、座受け１２の外側面と該縦壁１０ｂの内面との距離Ｒに対して該縦壁１０ｂの内面と支軸１４の端面との距離ｒが小さくなるように設定することによって、縦壁１０ｂ，１０ｂが支軸３２の抜け止め阻止をするように構成することができる。尚、この場合、一方の縦壁１０ｂとこれに対向位置する座受け１２の外側面との距離Ｒと、他方の縦壁１０ｂとこれに対向位置する座受け１２の外側面との距離Ｘとを等しくすることを条件とする。前記一方の距離Ｒと他方の距離Ｘとが異なる場合には、支軸１４が抜けてしまうことがないように支軸１４の寸法を考慮する必要がある。前記縦壁１０ｂ，１０ｂを支軸１４の抜け止めを行う抜止部と呼称し、この抜止部は、別体形成された部材をアウターシェル１０の下面に取付けて構成してもよい。
【００１９】
図１、図５及び図６に示すように、前記座受け１２の左右の横側部から外方側に突出する２本のレバー、つまり、ロック操作レバー１７及び昇降操作用レバー３２が設けられている。前記昇降操作用レバー３２は、図６においてレバー３２を上方に持ち上げることによって、レバー３２のガスシリンダー７側先端部３２Ａがレバー３２の支持ブラケット３３を支点として下方に揺動されてガスシリンダー７の上端部に接当し、ガスシリンダー７を作動させるようにしている。前記ロック操作レバー１７は、水平軸芯周りで回転自在に支持ブラケット３４を介して支持部材１３側に取付けられ、その支持部材１３側端部がガイド部材２８内に挿入されている。前記ガイド部材２８には、前記ロック操作レバー１７をロック解除位置で係止保持する係止部２８Ｂを備えるとともに、前記座受け１２の接当部材１８の上下２箇所に形成の係止部１８Ａ，１８Ｂにそれぞれ係止して、座受け１２を前傾姿勢と後傾姿勢とに係止固定できるようにしている。具体的には、下側の係止部１８Ｂにロック操作レバー１７を係止させることによって、水平方向に対して約１度座受け１２の前端部が下方に位置する前傾姿勢に固定し、上側の係止部１８Ａにロック操作レバー１７を係止させることによって、水平方向に対して約５度座受け１２の前端部が上方に位置する後傾姿勢に固定できるようにしている。図５では座受け１２がコイルスプリング１７の付勢力により水平姿勢に保持されている状態を示している。
【００２０】
前記コイルスプリング１５の取付けを、図７及び図８に示すようにしてもよい。つまり、前記座受け１２の上板部１２Ａにコイルスプリング１５を貫通させるための貫通孔１２ａを形成するとともに、この貫通孔１２ａに対向位置する前記凹部１０Ａの上部壁１０ａに前記コイルスプリング１５を挿入するための挿入孔１０Ｈを形成してある。従って、支持部材１３が支軸１４により枢支連結された座受け１２を前述のようにアウターシェル１０の下面にビス止めしたのち、挿入孔１０Ｈ及び貫通孔１２ａからコイルスプリング１５を前記受け部材２１に接当する位置まで挿入して配置させる。こののち、挿入孔１０Ｈを塞ぐために、肘掛け取付用プレート３５をアウターシェル１０の上面にビス止めしてコイルスプリング１５の装着を完了するようにしている。この方法を用いることによって、前記実施例のように座受け１２と支持部材１３との間にコイルスプリング１５を装着した状態において、座受け１２をアウターシェル１０の下面にビス止めする際に、介在させたコイルスプリング１５の付勢力により座受け１２や支持部材１３が不測に動いてしまい、安定よく座受け１２をアウターシェル１０の下面にビス止めすることができないといったことがない。前記肘掛け取付用プレート３５の左右両側にそれぞれ、複数の取付孔３６が形成されるとともに、これら取付孔３６の上面に、アウターシェル１０に形成の孔１０ｃを通して挿入されるボルト３７が螺合するナット３８が固着されている。
【００２１】
【発明の効果】
請求項１により、支軸の抜け止め作業を行わなくても、抜止部にて支軸の抜け止めを確実に行うことができ、従来に比べて椅子の枢支部の組付け及び分解作業を作業工程数の削減により容易迅速に行える椅子の枢支部構造を提供することができた。
【００２２】
請求項２により、支軸を棒状体に構成することができるから、例えば頭付ピン等に比べて支軸自体を安価なものに構成することができるだけでなく、座受けや支持部材に挿入する際、支軸の両端部のうちのどちらの端部からも挿入することができるから、その分支軸の挿入を迅速に行うことができるのである。
【００２３】
請求項３により、座受けや支持部材等を収納するためのアウターシェルの凹部を構成する縦壁を支軸の抜止部として利用することによって、部品点数の増大化及びそれに伴う組付け作業工程数の増大化を招くことを回避することができるのである。
【図面の簡単な説明】
【図１】椅子の正面図
【図２】椅子の側面図
【図３】支軸の枢支部の縦断正面図
【図４】支軸を一方の縦壁に接当させた状態を示す縦断正面図
【図５】座受けと支持部材とを組付けた状態の縦断側面図
【図６】座受けと支持部材とを組付けた状態の一部切欠き平面図
【図７】コイルスプリングの上部支持の別実施例を示す縦断側面図
【図８】コイルスプリングの上部支持の別実施例を示す一部省略縦断正面図
【図９】支軸の枢支部の従来例を示す縦断正面図
【符号の説明】
１  脚体                        ２  座部
３  肘掛け                      ４  背凭れ部
５  支脚                        ６  支持筒
７  ガスシリンダー              ８  カバー
９  クッション材                10  アウターシェル
10a 上部壁                      10b 縦壁（抜止部）
10c 孔                          10H 挿入孔
11  凹部                        12  座受け
12A 上板部                      12B 側板部
12a 貫通孔                      13  支持部材
14  支軸                        15  コイルスプリング
16  孔                          17  ロック操作レバー
18  接当部材                    18A,18B 係止部
19  箱状体                      20  板部材
20A 後端部                      20B クッション材
21  受け部材                    22  調節機構
23  螺軸                        24  回転操作部材
25  ナット                      26  リング状部材
27  ストッパー                  28  ガイド部材
28A コ字状接当片                28B 係止部
29  筒状体                      30  ブッシュ
31  ブッシュ                    32  昇降操作用レバー
33  支持ブラケット              34  支持ブラケット
35  肘掛け取付用プレート        36  取付孔
37  ボルト                      38  ナット
40  ピン                        41  プッシュナット
Ｒ，ｒ，Ｘ  距離
【図１】
0003656296.tif 000002
【図２】
0003656296.tif 000003
【図３】
0003656296.tif 000004
【図４】
0003656296.tif 000005
【図５】
0003656296.tif 000006
【図６】
0003656296.tif 000007
【図７】
0003656296.tif 000008
【図８】
0003656296.tif 000009
【図９】
0003656296.tif 000010